【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
タップ付き変圧器用の切換装置において、
前記タップ付き変圧器は、
−第１主端子（０）を有する主巻線（５）と、
−第１粗端子（１）と第２粗端子（２）とを有する粗調整巻線（６）と、
−第１調整端子（３）を有する調整巻線（７）と、
−前記調整巻線（７）と協働し、開閉器端子（Ｌ）を有する負荷時タップ切換器（８）とを備え、
前記切換装置は、
−導線（Ａ）と、
−第１接続装置（１０）と、
−第２接続装置（２０）と、
−第３接続装置（３０）とを備え、
前記第１接続装置（１０）は、
・前記第１主端子（０）に接続され得る第１主固定接点（０．１１）と、
・前記第１粗端子（１）に接続され得る第１粗固定接点（１．１１）と、
・前記第１調整端子（３）に接続され得る第１調整固定接点（３．１）と、
・前記第１開閉器端子（Ｌ）に接続され得る第１開閉器固定接点（Ｌ．１）と、
・第１可動ブリッジ接触子（１１）が、前記切換装置のそれぞれの定常運転位置で及び／又は前記切換装置のそれぞれの切換過程中にその接続装置（１０）の少なくとも２つの固定接点（０．１１，１．１１，３．１，Ｌ．１）を電気的にブリッジするように構成されている前記第１可動ブリッジ接触子（１１）とを有し、
前記第２接続装置（２０）は、
・前記粗端子（２）に接続され得る第２粗固定接点（２．２１）と、
・前記第１調整端子（３）に接続され得る、及び／又は前記第１調整固定接点（３．１）に接続されている第２調整固定接点（３．２１）と、
・前記開閉器端子（Ｌ）に接続され得る、及び／又は前記第１開閉器固定接点（Ｌ．１）に接続されている第２開閉器固定接点（Ｌ．２１）と、
・第２可動ブリッジ接触子（２１）が、前記切換装置のそれぞれの定常運転位置で及び／又は前記切換装置のそれぞれの切換過程中にその接続装置（２０）の少なくとも２つの固定接点（２．２１，２．２１，２．２３，３．２１，３．２２，Ｌ．２１，Ｌ．２２）を電気的にブリッジするように構成されている前記第２可動ブリッジ接触子（２１）とを有し、
前記第３接続装置（３０）は、
・前記導線（Ａ）に接続されている第１導線固定接点（Ａ．３１）と、
・前記第１粗端子（１）に接続され得る、及び／又は前記第１粗固定接点（１．１１）に接続されている第３粗固定接点（１．３１）と、
・前記第１調整端子（３）に接続され得る、及び／又は前記第１調整固定接点（３．１）に接続されている第３調整固定接点（３．３）と、
・前記開閉器端子（Ｌ）に接続され得る、及び／又は前記第１開閉器固定接点（Ｌ．１）に接続されている第３開閉器固定接点（Ｌ．３）と、
・第３可動ブリッジ接触子（３１）が、前記切換装置のそれぞれの定常運転位置で及び／又は前記切換装置のそれぞれの切換過程中にその接続装置（３０）の少なくとも２つの固定接点（Ａ．３１，Ａ．３２，Ａ．３３，１．３１，１．３２，３．３，Ｌ．３）を電気的にブリッジするように構成されている前記第３可動ブリッジ接触子（３１）とを有する当該切換装置。
【請求項２】
−前記ブリッジ接触子（１１，２１，３１）が回転しないように配置されている駆動軸（４０）を有し、
−前記駆動軸（４０）は、回転運動装置（４１）に接続されている請求項１に記載の切換装置。
【請求項３】
−前記第１接続装置（１０）は、
・前記主端子（０）にそれぞれ接続され得る、及び／又は前記第１主固定接点（０．１１）にそれぞれ接続されている第２及び第３主固定接点（０．１２，０．１３）と、
・前記第１粗端子（１）に接続され得る、及び／又は前記第１粗固定接点（１．１１）に接続されている第４粗固定接点（１．１２）とを有し、
−前記第１主固定接点（０．１１）が、前記第１開閉器固定接点（Ｌ．１）と前記第１調整固定接点（３．１）との間に配置されていて、
−前記第３主固定接点（０．１３）が、前記第１調整固定接点（３．１）と前記第４粗固定接点（１．１２）との間に配置されていて、
−前記第２主固定接点（０．１２）が、前記第４粗固定接点（１．１２）と前記第１粗固定接点（１．１１）との間に配置されていて、
−前記第２接続装置（２０）は、
・前記第２粗端子（２）にそれぞれ接続され得る、及び／又は前記第２粗固定接点（２．２１）にそれぞれ接続されている第５及び第６粗固定接点（２．２２，２．２３）と、
・前記第１調整端子（３）に接続され得る、及び／又は前記第１調整固定接点（３．１）に接続されている第４調整固定接点（３．２２）と、
・前記開閉器端子（Ｌ）に接続され得る、及び／又は前記第１開閉器固定接点（Ｌ．１）に接続されている第４開閉器固定接点（Ｌ．２２）とを有し、
−前記第２粗固定接点（２．２１）が、前記第２調整固定接点（３．２１）と前記第４開閉器固定接点（Ｌ．２２）との間に配置されていて、
−前記第６粗固定接点（２．２３）が、前記第４開閉器固定接点（Ｌ．２２）と前記第２開閉器固定接点（Ｌ．２１）との間に配置されていて、
−前記第５粗固定接点（２．２２）が、前記第２開閉器固定接点（Ｌ．２１）と前記第４調整固定接点（３．２２）との間に配置されていて、
−前記第３接触装置（３０）は、
・前記導線（Ａ）及び／又は前記第１導線固定接点（Ａ．３１）にそれぞれ接続されている第２及び第３導線固定接点（Ａ．３２，Ａ．３３）と、
・前記第１粗端子（１）に接続され得る、及び／又は前記第１粗固定接点（１．１１）に接続されている第７粗固定接点（１．３２）とを有し、
−前記第１導線固定接点（Ａ．３１）が、前記第３粗固定接点（１．３１）と前記第７粗固定接点（１．３２）との間に配置されていて、
−前記第３導線固定接点（Ａ．３３）が、前記第７粗固定接点（１．３２）と前記第３調整固定接点（３．３）との間に配置されていて、
−前記第２導線固定接点（Ａ．３２）が、前記第３調整固定接点（３．３）と前記第３開閉器固定接点（Ｌ．３）との間に配置されている請求項１又は２に記載の切換装置。
【請求項４】
−それぞれの接続装置（１０，２０，３０）内には、それぞれの前記固定接点（０．１１，０．１２，１．１１…１．１３，１．３１，１．３２，２．２１…２．２３，３．１，３．２１，３．２２，３．３，Ｌ．１，Ｌ．２１，Ｌ．２２，Ｌ．３，Ａ．３１…Ａ．３３）が、回転対称に、及び／又は前記駆動軸（４０）を中心にした１つの円形軌道上に配置されていて、
−個々の前記接続装置（１０，２０，３０）は、互いに電気絶縁されて構成されていて、
−前記接続装置（１０，２０，３０）は、異なる水平面内に配置されている請求項１〜３のいずれか１項に記載の切換装置。
【請求項５】
−タップ付き変圧器用の切換装置において、
前記タップ付き変圧器は、
−第１主端子（０）を有する主巻線（５）と、
−第１粗端子（１）と第２粗端子（２）とを有する粗調整巻線（６）と、
−第１調整端子（３）を有する調整巻線（７）と、
−前記調整巻線（７）と協働し、開閉器端子（Ｌ）を有する負荷時タップ切換器（８）とを備え、
前記切換装置は、
−導線（Ａ）を備え、
−特に請求項１〜４のいずれか１項にしたがって構成されている切換装置が、
・第１定常運転位置を占有でき、この第１定常運転位置では、前記切換装置が、前記粗調整巻線（６）を前記主巻線（５）に対して逆直列に接続し、前記調整巻線（７）を前記主巻線（５）に対して逆直列に接続し、
・第２定常運転位置を占有でき、この第２定常運転位置では、前記切換装置が、前記粗調整巻線（６）を前記主巻線（５）に対して逆直列に接続し、前記調整巻線（７）を前記主巻線（５）に対して直列に接続し、
・第３定常運転位置を占有でき、この第３定常運転位置では、前記切換装置が、前記粗調整巻線（６）を前記主巻線（５）に対して直列に接続し、前記調整巻線（７）を前記主巻線（５）に対して逆直列に接続し、
・第４定常運転位置を占有でき、この第４定常運転位置では、前記切換装置が、前記粗調整巻線（６）を前記主巻線（５）に対して直列に接続し、前記調整巻線（７）を前記主巻線（５）に対して直列に接続するように、前記切換装置は構成されている当該切換装置。
【請求項６】
−複数の固定接点のうちのそれぞれ少なくとも１つの固定接点が、前記第１主端子（０）と、前記第１粗端子（１）と、前記第１調整端子（３）と、前記開閉器端子（Ｌ）と、前記第２粗端子（２）と、前記第１調整端子（３）と、前記開閉器端子（Ｌ）とに接続され得、前記複数の固定接点のうちの少なくとも１つの別の固定接点が、前記導線（Ａ）に接続されている前記複数の固定接点と、
−それぞれ少なくとも２つの固定接点に電気的にブリッジする３つの可動ブリッジ接触子（１１）とを有する請求項１〜５のいずれか１項に記載の切換装置。
【請求項７】
前記切換装置は、
−前記第１運転位置から前記第２運転位置に、前記第２運転位置から前記第１及び第３運転位置に、前記第３運転位置から前記第２及び前記第４運転位置に、及び前記第４運転位置から前記第３運転位置に切り換えでき、及び／又は
−前記第１運転位置から前記第４運転位置に、及び前記第４運転位置から前記第１運転位置に切り換えできないように、前記切換装置は構成されている請求項１〜６のいずれか１項に記載の切換装置。
【請求項８】
前記切換装置が、それぞれの運転位置で及び／又はそれぞれの切換過程中に、
−１つの電流路を前記調整巻線（７）によって切り換え、及び／又は
−前記第１調整端子（３）及び前記開閉器端子（Ｌ）又は前記調整巻線（７）を前記主端子（０）及び前記導線（Ａ）又は前記主巻線（５）及び／又は前記粗調整巻線（６）に接続するように、前記切換装置は構成されている請求項１〜７のいずれか１項に記載の切換装置。
【請求項９】
特に請求項１〜８のいずれか１項に記載の切換装置を運転するための方法において、−前記粗調整巻線（６）及び／又は調整巻線（７）が、対応する運転位置に応じて前記主巻線（５）にそれぞれ接続及び／又は逆接続されるように、前記切換装置は、４つの定常運転位置で運転される当該方法。
【請求項１０】
電気設備を運転するための方法において、
前記電気設備は、
−第１主端子（０）を有する主巻線（５）と、
−第１粗端子（１）と第２粗端子（２）とを有する粗調整巻線（６）と、
−第１調整端子（３）を有する調整巻線（７）と、
−前記調整巻線（７）と協働し、開閉器端子（Ｌ）を有する負荷時タップ切換器（８）と、
−導線（Ａ）と、特に請求項１〜８のいずれか１項にしたがって構成されている切換装置とを備え、
−当該方法は、特に請求項９にしたがって構成されていて、
−第１定常運転位置では、前記粗調整巻線（６）が、前記主巻線（５）に対して逆直列に接続され、前記調整巻線（７）が、前記主巻線（５）に対して逆直列に接続され、
−第２定常運転位置では、前記粗調整巻線（６）が、前記主巻線（５）に対して逆直列に接続され、前記調整巻線（７）が、前記主巻線（５）に対して直列に接続され、
−第３定常運転位置では、前記粗調整巻線（６）が、前記主巻線（５）に対して直列に接続され、前記調整巻線（７）が、前記主巻線（５）に対して逆直列に接続され、
−第４定常運転位置では、前記粗調整巻線（６）が、前記主巻線（５）に対して直列に接続され、前記調整巻線（７）が、前記主巻線（５）に対して直列に接続される当該方法。
【請求項１１】
−第１定常運転位置では、
・前記第１主端子（０）が、前記第１主固定接点（０．１１）に電気接続され、前記第１ブリッジ接触子（１１）が、前記第１主固定接点（０．１１）と前記第１開閉器固定接点（Ｌ．１）とを電気的にブリッジし、前記第１開閉器固定接点（Ｌ．１）が、前記開閉器端子（Ｌ）に電気接続され、
・前記第２粗固定接点（２．２１）が、前記第２粗端子（２）に電気接続され、前記第２ブリッジ接触子（２１）が、前記第２粗固定接点（２．２１）と前記第２調整固定接点（３．２１）とを電気的にブリッジし、前記第２調整固定接点（３．２１）が、前記第１調整端子（３）に電気接続され、
・前記第３粗固定接点（１．３１）が、前記第１粗端子（１）に電気接続され、前記第３ブリッジ接触子（３１）が、前記第１導線固定接点（Ａ．３１）と前記第３粗固定接点（１．３１）とを電気的にブリッジし、前記第１導線固定接点（Ａ．３１）が、前記導線（Ａ）に電気接続され、
−第２定常運転位置では、
・前記第１主端子（０）が、前記第１主固定接点（０．１１）と前記第３主固定接点（０．１３）とに電気接続され、前記第１ブリッジ接触子（１１）が、前記第１主固定接点（０．１１）と前記第３主固定接点（０．１３）と前記第１調整固定接点（３．１）とを電気的にブリッジし、前記第１調整固定接点（３．１）が、前記第１調整端子（３）に電気接続され、
・前記第２粗固定接点（２．２１）と前記第６粗固定接点（２．２３）とが、前記第２粗端子（２）に電気接続され、前記第２ブリッジ接触子（２１）が、前記第２粗固定接点（２．２１）と前記第６粗固定接点（２．２３）と前記第４開閉器固定接点（Ｌ．２２）とを電気的にブリッジし、前記第４開閉器固定接点（Ｌ．２２）が、前記開閉器端子（Ｌ）に電気接続され、
・前記第１導線固定接点（Ａ．３１）と前記第３導線固定接点（Ａ．３３）とが、前記導線（Ａ）に電気接続され、前記第３ブリッジ接触子（３１）が、前記第１導線固定接点（Ａ．３１）と前記第３導線固定接点（Ａ．３３）と前記第７粗固定接点（１．３２）とを電気的にブリッジし、前記第７粗固定接点（１．３２）が、前記第１粗端子（１）に電気接続され、
−第３定常運転位置では、
・前記第１主端子（０）が、前記第３主固定接点（０．１３）と前記第２主固定接点（０．１２）とに電気接続され、前記第１ブリッジ接触子（１１）が、前記第３主固定接点（０．１３）と前記第２主固定接点（０．１２）と前記第４粗固定接点（１．１２）とを電気的にブリッジし、前記第４粗固定接点（１．１２）が、前記第１粗端子（１）に電気接続され、
・前記第５粗固定接点（２．２２）と前記第６粗固定接点（２．２３）とが、前記第２粗端子（２）に電気接続され、前記第２ブリッジ接触子（２１）が、前記第５粗固定接点（２．２２）と前記第６粗固定接点（２．２３）と前記第２開閉器固定接点（Ｌ．２１）とを電気的にブリッジし、前記第２開閉器固定接点（Ｌ．２１）が、前記開閉器端子（Ｌ）に電気接続され、
・前記第２導線固定接点（Ａ．３２）と前記第３導線固定接点（Ａ．３３）とが、前記導線（Ａ）に接続され、前記第３ブリッジ接触子（３１）が、前記第２導線固定接点（Ａ．３２）と前記第３導線固定接点（Ａ．３３）と前記第３調整固定接点（３．３）とを電気的にブリッジし、前記第３調整固定接点（３．３）が、前記第１調整端子（３）に電気接続され、
−第４定常運転位置では、
・前記第１主端子（０）が、前記第２主固定接点（０．１２）とに電気接続され、前記第１ブリッジ接触子（１１）が、前記第２主固定接点（０．１２）と前記第１粗固定接点（１．１１）とを電気的にブリッジし、前記第１粗固定接点（１．１１）が、前記第１粗端子（１）に電気接続され、
・前記第５粗固定接点（２．２２）が、前記第２粗端子（２）に電気接続され、前記第２ブリッジ接触子（２１）が、前記第５粗固定接点（２．２２）と前記第４調整固定接点（３．２２）とを電気的にブリッジし、前記第４調整固定接点（３．２２）が、前記第１調整端子（３）に電気接続され、
・前記第３開閉器固定接点（Ｌ．３）が、前記開閉器端子（Ｌ）に電気接続され、前記第３ブリッジ接触子（３１）が、前記第３開閉器固定接点（Ｌ．３）と前記第２導線固定接点（Ａ．３２）とを電気的にブリッジし、前記第２導線固定接点（Ａ．３２）が、前記導線（Ａ）に電気接続される請求項９又は１０に記載の方法。